(57)【要約】　　　（修正有）【課題】携帯電話機同士でハード仕様面にも相互の位置情報を取得することを実現可能な位置検出システムを提供する。【解決手段】事前に携帯電話機１１、および携帯電話機１２は、無線通信によりインターネット網を介し、位置検出制御サーバで位置検出システムを利用するためのユーザ登録する。また、相互からの位置検出を許可する登録を行う。なお、位置検出制御サーバは、携帯電話機１から送られた測位情報をもとに、地図情報データベースにある地図情報に印を付ける等して位置情報を編集し、携帯電話機の位置情報を携帯電話機へ送信する。このようにして携帯電話機は携帯電話機の位置を知ることができる。携帯電話機１２が携帯電話機の位置検出を行う場合も同様の操作で行うことができるようにした。【選択図】　　　　図１
2004040435.tif 000002
【特許請求の範囲】
【請求項１】
位置検出要求元携帯電話機が位置検出要求先携帯電話機に対する位置検出要求を発行する手段と、電気通信回線への接続手段と、前記位置検出要求を電気通信回線を介して位置検出制御サーバに送信する手段を備え、前記位置検出制御サーバが登録ユーザデータベースにある前記位置検出要求先携帯電話機の登録内容から前記位置検出要求元携帯電話機からの位置検出を許可または拒否しているかを確認する手段と、前記位置検出要求先携帯電話機へ前記位置検出要求を発信する手段と、前記位置検出要求をもとに位置検出要求先携帯電話機に実装されている測位情報取得機能の起動を行う手段を備え、前記位置検出要求先携帯電話機が測位情報取得機能から取得した測位情報を前記位置検出制御サーバへ送信する手段を備え、前記位置検出制御サーバが前記受信した位置検出要求先携帯電話機の測位情報をもとに地図情報データベースにある地図情報に印を付ける等して位置情報を編集する手段と、前記編集した位置情報を前記位置検出要求元携帯電話機に送信する手段を備え、前記位置検出要求元携帯電話機が前記位置検出制御サーバから送出された前記位置検出要求先携帯電話機の位置情報を表示する手段とを具備したことを特徴とする位置検出システム。
前記携帯電話機とは、電気通信回線への接続可能な通信機能とデータ処理機能、データ処理機能への情報入力、および制御を与える機能、それらの処理結果を表示・発音する機能を有する電話機、電子計算機、および情報処理装置の総称である。
【請求項２】
請求項１の位置検出システムにおいて、前記位置検出要求元携帯電話機は、電気通信回線に接続可能な機能を有すること、およびＷｅｂページを閲覧する機能を有することを特徴とする位置検出システム。
【請求項３】
請求項１の位置検出システムにおいて、前記位置検出制御サーバは、位置検出要求を受信、登録ユーザデータベースにある前記位置検出要求先携帯電話機の登録内容から前記位置検出要求元携帯電話機からの位置検出を許可または拒否している事を確認し、許可している場合は、前記位置検出制御サーバから位置検出要求を前記位置検出要求先携帯電話機へ配信する機能を有することを特徴とする位置検出システム。
【請求項４】
請求項１の位置検出システムにおいて、前記位置検出制御サーバは、位置検出要求を受信、登録ユーザデータベースにある前記位置検出要求先携帯電話機の登録内容から前記位置検出要求元携帯電話機からの位置検出を許可または拒否している事を確認し、許可していない場合は、前記位置検出制御サーバから位置検出要求拒否を前記位置検出要求元携帯電話機へ配信する機能を有することを特徴とする位置検出システム。
【請求項５】
請求項１の位置検出システムにおいて、前記位置検出要求先携帯電話機は、ＧＰＳ測位、または携帯電話機の基地局情報に基づく測位等による手段によって、自機の測位情報を取得できる機能を有すること、および前記取得した自機の測位情報を前記位置検出制御サーバに送信する機能を有することを特徴とする位置検出システム。
【請求項６】
請求項１の位置検出システムにおいて、前記位置検出制御サーバは、前記取得した位置検出要求先携帯電話機からの測位情報を受信する機能を有すること、および前記測位情報をもとに地図情報データベースにある地図情報に印を付ける等して位置情報を編集する手段と、前記編集した位置情報を前記位置検出要求元携帯電話機へ配信する機能を有することを特徴とする位置検出システム。
【請求項７】
請求項１の位置検出システムにおいて、前記位置検出要求元携帯電話機は、前記位置検出要求先携帯電話機の位置情報を受信する機能を有すること、および前記位置検出要求先携帯電話機の位置情報を表示する手段を有することを特徴とする位置検出システム。
【発明の詳細な説明】
【０００１】
【発明の属する技術分野】
この発明は、測位機能を有する携帯電話機の位置情報を、携帯電話機＜−＞位置検出センタ＜−＞携帯電話機間で通信する位置検出システムに関するものである。
【０００２】
【従来の技術】
従来より、携帯電話機自機の位置（測位）情報が取得可能な携帯電話機や、同一携帯電話メーカーの同種携帯電話機同士での相互の位置情報を取得可能な携帯電話機は存在したが、異なる携帯電話メーカーの携帯電話機、および同一携帯電話メーカーの異種携帯電話機同士で相互の位置（測位）情報を取得可能な携帯電話機、およびサービス提供は存在していなかった。
【０００３】
【解決しようとする課題】
従来技術によれば、携帯電話機のハード面およびソフト面の仕様が携帯電話メーカー各社、各種携帯電話機で異なっていたため、異種携帯電話機での相互の位置情報の取得が不可能だった。
本発明の目的は、同種、異種携帯電話機の間で、ハード仕様面、ソフト仕様面にも制約を受けない自由度の高い互いの位置情報取得を実現可能な位置検出システムを提供することである。
【０００４】
【課題を解決するための手段】
以上の課題を解決するために、請求項１の発明は、位置検出要求元携帯電話機が位置検出要求先携帯電話機に対する位置検出要求を発行する手段と、電気通信回線への接続手段と、前記位置検出要求を電気通信回線を介して位置検出制御サーバに送信する手段を備え、前記位置検出制御サーバが登録ユーザデータベースにある前記位置検出要求先携帯電話機の登録内容から前記位置検出要求元携帯電話機からの位置検出を許可または拒否しているかを確認する手段と、前記位置検出要求携帯電話機へ発信する手段と、前記位置検出要求をもとに位置検出要求先携帯電話機に実装されている測位情報取得機能の起動を行う手段を備え、前記位置検出要求先携帯電話機が測位情報取得機能から取得した測位情報を前記位置検出制御サーバへ送信する手段を備え、前記位置検出制御サーバが前記受信した位置検出要求先携帯電話機の測位情報をもとに地図情報データベースにある地図情報に印を付ける等して位置情報を編集する手段と、前記編集した位置情報を前記位置検出要求元携帯電話機に送信する手段を備え、前記位置検出要求元携帯電話機が前記位置検出制御サーバから送出された前記位置検出要求先携帯電話機の位置情報を表示する手段とを具備したことを特徴とする位置検出システムである。
【０００５】
そして、本構成において、位置検出要求元携帯電話機が電気通信回線を介して位置検出制御サーバへ位置検出要求先携帯電話機の位置検出を要求し、位置検出制御サーバが位置検出要求先携帯電話機の登録内容から位置検出要求元携帯電話機からの位置検出を許可または拒否しているかを確認し、許可している場合は位置検出制御サーバから位置検出要求先携帯電話機へ位置検出要求を送信し、位置検出要求先携帯電話機は、測位情報を取得し、位置検出制御サーバへ測位情報を送信し、位置検出要求先携帯電話機の測位情報をもとに地図情報に印を付ける等して位置情報を編集し、位置検出要求元携帯電話機へ位置検出要求先携帯電話機の位置情報を送信し、位置検出要求元携帯電話機が位置検出要求先携帯電話機の位置情報を検出することができる。
【０００６】
本出願に係る請求項２は、請求項１の位置検出システムにおいて、位置検出要求元携帯電話機は、電気通信回線に接続可能な機能を有すること、およびＷｅｂページを閲覧する機能を有することを特徴とする。そして、本構成において、位置検出要求元携帯電話機は、電気通信回線に接続を行い、位置検出要求を電気通信回線を介して、位置検出制御サーバに送信することができる。
【０００７】
本出願に係る請求項３は、請求項１の位置検出システムにおいて、位置検出制御サーバは、位置検出要求を受信、登録ユーザデータベースにある前記位置検出要求先携帯電話機の登録内容から前記位置検出要求元携帯電話機からの位置検出を許可または拒否している事を確認し、許可している場合は、前記位置検出制御サーバから位置検出要求を前記位置検出要求先携帯電話機へ配信する機能を有することを特徴とする。そして、本構成において、位置検出制御サーバは、位置検出要求元携帯電話機からの位置検出要求を受信し、登録ユーザデータベースにある位置検出要求先携帯電話機の登録内容から位置検出要求元携帯電話機からの位置検出を許可また拒否しているかを確認し、許可している場合は、位置検出要求先携帯電話機に測位情報を取得を要求された旨を配信することができる。
【０００８】
本出願に係る請求項４は、請求項１の位置検出システムにおいて、位置検出制御サーバは、位置検出要求を受信、登録ユーザデータベースにある前記位置検出要求先携帯電話機の登録内容から前記位置検出要求元携帯電話機からの位置検出を許可または拒否している事を確認し、許可していない場合は、前記位置検出制御サーバから位置検出要求拒否を前記位置検出要求元携帯電話機へ配信する機能を有することを特徴とする。そして、本構成において、位置検出制御サーバは、位置検出要求元携帯電話機からの位置検出要求を受信し、登録ユーザデータベースにある位置検出要求先携帯電話機の登録内容から位置検出要求元携帯電話機からの位置検出を許可また拒否しているかを確認し、許可していない場合は、位置検出制御サーバから位置検出要求を拒否された旨を位置検出要求元携帯電話機へ配信することができる。
【０００９】
本出願に係る請求項５は、請求項１の位置検出システムにおいて、位置検出要求先携帯電話機は、ＧＰＳ（Ｇｌｏｂａｌ　Ｐｏｓｉｔｉｏｎｉｎｇ　Ｓｙｓｔｅｍ：全地球無線測位システム）測位、または携帯電話機の基地局（携帯電話機と直接交信する、携帯電話網の末端にあたる装置）情報に基づく測位等による手段によって、自機の測位情報を取得できる機能を有すること、および前記取得した自機の測位情報を前記位置検出制御サーバに送信する機能を有することを特徴とする。そして、本構成において、位置検出要求先携帯電話機は、位置情報取得要求を受信し、自機の測位情報を取得し、測位情報を位置検出制御サーバに送信することができる。
【００１０】
本出願に係る請求項６は、請求項１の位置検出システムにおいて、位置検出制御サーバは、前記取得した位置検出要求先携帯電話機からの測位情報を受信する機能を有すること、および前記測位情報をもとに地図情報データベースにある地図情報に印を付ける等して位置情報を編集する手段と、前記編集した位置情報を前記位置検出要求元携帯電話機へ配信する機能を有することを特徴とする。そして、本構成において、位置検出制御サーバは、位置検出要求先携帯電話機からの測位情報を受信し、地図情報データベースにある地図情報を読み出し、測位情報をもとに地図情報に印を付ける等して位置情報を編集し、編集した位置情報を位置検出要求元携帯電話機へ配信することができる。
【００１１】
本出願に係る請求項７は、請求項１の位置検出システムにおいて、位置検出要求元携帯電話機は、前記位置検出要求先携帯電話機の位置情報を受信する機能を有すること、および前記位置検出要求先携帯電話機の位置情報を表示する手段を有することを特徴とする。そして、本構成において、位置検出要求元携帯電話機は、位置検出制御サーバが編集した位置検出要求先携帯電話機の位置情報を受信し、前記位置情報を表示することができる。
【００１２】
【発明の実施の形態】
以下、図面を用いて本発明の実施の形態を説明する。
図１は、本発明の一実施形態を説明する構成ブロック図である。
図１において、携帯電話機１１は、携帯電話機１２に対して位置検出要求を、インターネット網Ｉを介して位置検出制御サーバＳ１へ送信することのできる装置であり、携帯電話機１２の位置情報を把握する装置である。携帯電話機１２は、測位機能を有し、インターネット網Ｉを介して測位情報を位置検出制御サーバＳ１へ通知する機能を有する。位置検出制御サーバＳ１は、インターネット網Ｉに接続され、携帯電話機１１からの携帯電話機１２に対する位置検出要求を取得することができ、登録ユーザデータベースＳ２にある携帯電話機１２の登録内容から携帯電話機１１が携帯電話機１２の位置検出を許可しているか否かを確認し、許可している場合は、携帯電話機１２に対して測位情報を取得し、測位情報を通知する要求を配信し、携帯電話機１２から受け取った測位情報をもとに地図情報データベースＳ３にある地図情報に印を付ける等して位置情報を編集し、編集した位置情報をインターネット網Ｉ経由で携帯電話機１１へ配信する。公衆回線網Ｎは、電話機，電子計算機および情報処理装置等を接続してデータ通信を行う通信網である。なお、本実施形態では、ＧＰＳ衛星Ｇ１・Ｇ２・Ｇ３…を利用することによる測位、または携帯電話の基地局Ｒ１・Ｒ２…の情報に基づく測位を行うものとする。
【００１３】
図２は、本実施形態における動作を説明するためのフローチャートである。
図２において、携帯電話機１１は、携帯電話機１２への位置検出要求を位置検出制御サーバＳ１へ送信する（ステップ　ａ１）。位置検出制御サーバＳ１は、携帯電話機１１から送られた携帯電話機１２に対する位置検出要求を受信する（ステップ　ａ２）。位置検出制御サーバＳ１は、登録ユーザデータベースＳ２にある携帯電話機１２の登録内容を抽出し（ステップ　ａ３）、携帯電話機１２が携帯電話機１１からの位置検出を許可しているか否か確認する（ステップ　ａ４）。携帯電話機１２が携帯電話機１１からの位置検出を許可していない場合は、位置検出制御サーバＳ１から位置検出要求を拒否されている旨を携帯電話機１１へ配信し（ステップ　ａ１２）、携帯電話機１１は、位置検出要求を拒否されている旨を受信し、携帯電話機１２が位置検出要求を拒否されている旨を表示する（ステップ　ａ１３）。携帯電話機１２が携帯電話機１１からの位置検出を許可している場合は、位置検出制御サーバＳ１から携帯電話機１２へ位置検出を要求されている旨を配信する（ステップ　ａ５）。携帯電話機１２は、位置検出制御サーバＳ１から送られた位置検出を要求されている旨を受信し（ステップ　ａ６）、自機の測位機能を使用して測位情報を取得し、位置検出制御サーバＳ１へ送信する（ステップ　ａ７）。位置検出制御サーバＳ１は、携帯電話機１２から送られた測位情報を受信し（ステップ　ａ８）、測位情報をもとに地図情報データベースＳ３にある地図情報に印を付ける等して位置情報を編集し（ステップ　ａ９）、編集した位置情報を携帯電話機１１へ配信する（ステップ　ａ１０）。携帯電話機１１は、位置検出制御サーバＳ１から送られた位置情報を受信し、位置情報を表示する（ステップ　ａ１１）。
【００１４】
「実施形態の効果」　この実施形態によれば、他の携帯電話機の位置情報を取得でき、なおかつ、登録ユーザデータベースの登録内容によって、特定の携帯電話機からの位置検出要求のみ許可する、または拒否することができる。
【００１５】
「他の実施形態」　なお、図１の実施形態では、携帯電話機同士による位置検出方法であったが、他の実施形態では、位置検出要求元端末は、携帯電話機に限らず、パソコン（Ｐｅｒｓｏｎａｌ　Ｃｏｍｐｕｔｅｒ）やＰＤＡ（Ｐｅｒｓｏｎａｌ　Ｄｉｇｉｔａｌ　Ａｓｓｉｓｔａｎｃｅ：携帯情報端末）等、電気通信回線に接続された情報処理装置でも良いことは言うまでもない。
【００１６】
また、図１の実施形態では、携帯電話機同士による位置検出方法であったが、他の実施形態では、位置検出要求先端末は、携帯電話機に限らず、ＰＨＳ（Ｐｅｒｓｏｎａｌ　Ｈａｎｄｙ　ｐｈｏｎｅ　Ｓｙｓｔｅｍ）でも良い。また、ＰＨＳの基地局情報に基づく測位を行うことができることは言うまでもない。
【００１７】
また、図１の実施形態では、地図情報データベースＳ３をサーバとして用いて地図情報を読み込んでいたが、位置検出制御サーバＳ１、または登録ユーザデータベースＳ２に地図情報を持たせて、そこから地図情報を読み、位置情報を編集しても良いことは言うまでもない。
【００１８】
また、図１の実施形態では、ＧＰＳによる測位、または携帯電話機の基地局情報に基づく測位をするものとしたが、測位手段は、ＧＰＳまたは携帯電話機の基地局情報以外に、位置検出要求先端末にＰＨＳを用いて、ＰＨＳの基地局情報に基づく測位等、他の測位手段であっても良いことは言うまでもない。
【００１９】
【発明の効果】
以上説明したように、この発明によれば、位置検出要求元携帯電話機は位置検出要求先携帯電話機に対する位置検出要求を、電気通信回線を介して、位置検出制御サーバに送信することができ、位置検出要求先携帯電話機は位置検出制御サーバから、位置検出要求元携帯電話機からの位置検出要求を受信し、測位を行った測位情報を位置検出制御サーバへ送信することができ、位置検出要求元携帯電話機は位置検出制御サーバが位置検出要求先携帯電話機から受信した測位情報をもとに地図情報データベースにある地図情報に印を付ける等して編集した位置情報を受信し、位置情報を表示することができ、位置検出要求元携帯電話機、位置検出要求先携帯電話機ともに、ハード仕様面でもソフト仕様面でも制約を受けず、互いの位置情報を取得できる効果がある。
【００２０】
また、本発明の請求項２、および請求項７によれば、位置検出要求元端末は、携帯電話機に限らず、電気通信回線に接続された情報処理装置なら、位置検出要求先携帯電話機の位置情報を取得できる効果がある。
【００２１】
また、本発明の請求項３、および請求項４によれば、位置検出要求先携帯電話機は、登録ユーザデータベースにある登録内容によって、特定の携帯電話機からの位置検出を許可する、または拒否することができる効果がある。
【００２２】
また、本発明の請求項５によれば、位置検出要求先携帯電話機は、ＧＰＳ測位、または携帯電話機の基地局情報に基づく測位を行うことができる。また、ＧＰＳ衛星が見通せる場所、あるいは携帯電話機の基地局からの電波が届く場所であれば、何時でも、何処でも、ある程度の測位精度を確保しつつ、測位情報を取得することができるという効果がある。
【００２３】
また、本発明の請求項６によれば、位置検出要求先携帯電話機は、位置検出要求元携帯電話機からの位置検出要求によって、自機の位置情報を位置検出要求元携帯電話機へ通知できる効果がある。
【図面の簡単な説明】
【図１】この発明の一実施形態におけるシステム構成を示すブロック図である。
【図２】上記実施形態におけるシステム全体の動作を示すフローチャートである。
【符号の説明】
１１，１２　　携帯電話機
Ｇ１〜Ｇ３　　ＧＰＳ衛星
Ｒ１，Ｒ２　　基地局
Ｎ　　公衆回線網
Ｉ　　インターネット網
Ｓ　　位置検出センタ
Ｓ１　　位置検出制御サーバ
Ｓ２　　登録ユーザデータベース
Ｓ３　　地図情報データベース
【図１】
2004040435.tif 000003
【図２】
2004040435.tif 000004